(57)【要約】【課題】バンド駒どうしを連結する連結ピンをピン穴内で着脱自在に保持しつつ、アジャスト作業時にもバンド駒から容易に外れることなく、作業性のよいピン保持部材の提供にある。【解決手段】アジャスト用ピン保持部材３０は、連結ピンの貫通する貫通穴３２（図示省略）を有するパイプ状の脱落防止部３１と、同じく連結ピンの貫通する貫通穴３７を有するパイプ状のピン握持部３６とを直列させた段パイプである。これを連結させる一方のバンド駒のピン穴内に組み込むと、脱落防止部３１がピン穴の内面へ応力を与え、ピン穴からのピン保持部材３０の脱落を防止し、ピン握持部３６が連結ピンの外周長手方向にあって連結ピンに応力を与え、連結ピンを握持する。【選択図】  図１
2004236992.tif 000002
【特許請求の範囲】
【請求項１】
バンド駒に形成されたピン穴へ挿通することでバンド駒どうしを回動自在に連結させる連結ピンを、ピン穴内へ着脱自在に保持するためのアジャスト用ピン保持部材であって、
そのピン保持部材は、少なくとも連結させる一方のバンド駒のピン穴内に組み込まれて、
ピン穴の内面へ応力を与え、ピン穴からのピン保持部材の脱落を防止する脱落防止部と、
連結ピンの外周長手方向にあって連結ピンに応力を与え、連結ピンを握持するピン握持部とを備えたアジャスト用ピン保持部材。
【請求項２】
連結ピンの貫通するパイプ状の脱落防止部と同状のピン握持部とを直列させ、脱落防止部のパイプ外径＞ピン握持部のパイプ外径、の段パイプである請求項１記載のアジャスト用ピン保持部材。
【請求項３】
連結ピンの貫通するＣリング状の脱落防止部と同状のピン握持部とを直列させ、脱落防止部のリング外径＞ピン握持部のリング外径、の段リングである請求項１記載のアジャスト用ピン保持部材。
【請求項４】
ピン穴の内面との又は／及び連結ピンとの接触部位を凹凸状とした請求項１から３のいずれかに記載のアジャスト用ピン保持部材。
【請求項５】
請求項１から４のいずれかに記載のアジャスト用ピン保持部材を備えた時計バンド。
【発明の詳細な説明】
【０００１】
【発明の属する技術分野】
本発明は、バンド駒を連結ピンで連結して構成されるバンドにあって、そのバンド駒の取り付け・取り外しによるバンドの長さ調整（アジャスト構造）に関する技術である。
ここで「バンド」とは、時計バンド、装飾用バンド等各種バンドが含まれる。
【０００２】
【従来の技術】
これまで、バンド駒に形成されたピン穴へ挿通することでバンド駒どうしを回動自在に連結させる連結ピンを、ピン穴内へ着脱自在に保持する技術としては、特許文献１及び特許文献２がある。
【０００３】
特許文献１では、図６に示すように、連結ピン２６の保持部材としてコイルスプリング２５が用いられている。連結ピン２６をコイルスプリング２５の内径部分に挿入する際、コイルスプリング２５は弾性により拡張変形する。この拡張変形後、元に戻る弾力により、連結ピン２５の表面に締め付け力が作用する。従って、コイルスプリング２５と連結ピン２６との間に摩擦力が発生し、連結ピン２６が固定される。これによって、連結ピン２６の抜け落ちという不良が無くなる（段落００４４参照）。
【０００４】
また、特許文献２は図７（（Ｉ）全体斜視図、（ＩＩ）側面図）に示すように、連結ピンの保持部材として、筒方向内面に複数本の突状陵４を一体的に設けたプラスチック製の短パイプ１が用いられている。短パイプ１の最小内径ｄ（突状陵の頂点同士の軌跡が描く円）を長軸（連結ピン）６の外径より予め僅かに小さく形成しておく。従って、短パイプ１を係合孔１０に密入したのち該短パイプ１に長軸６を押し込み短パイプ１を貫通すると、前記外力を受けないが歪がそのまま残っていて、これが自然復帰して長軸６の小径部８に入り込んで塑性変形が完了し、同時に長軸６が所定位置に固定される（段落０００７参照）。
【０００５】
【特許文献１】
特開２００１−１５３９７０号公報
【特許文献２】
実用新案登録第３０８５９１１号公報
【０００６】
このようなピン保持部材は、連結ピンが挿入された状態ではバンド駒から外れない構造となっている。
しかし、バンドの長さ調整のため連結ピンを外し、バンド駒どうしの連結を解いた場合には、バンド駒からこのピン保持部材が外れてしまう可能性があった。
【０００７】
特許文献１では、コイルスプリング２５の外径は、コイルスプリング２５を係合孔２３にスムーズに挿入できるように、係合孔２３の内径より小さめに設けられている（段落００２９、００４３参照）。従って、バンド駒２０，２０’の連結を解いた場合には、係合孔２３からコイルスプリング２５が容易に外れてしまうようになる。
【０００８】
また、特許文献２では、短パイプ１を係合孔１０に密入したのち該短パイプ１に長軸６を押し込み、突状陵４はその外力を受け弾性限界を超えて変形する可塑性樹脂の特性を発揮し、外径面はより強力に係合孔１０の内面を押圧密接することで、係合孔１０内に固定される（段落０００７参照）。しかし、いったん長軸（連結ピン）を外すと強力な押圧密接がなくなり、短パイプ１は単に係合孔１０に密入されているだけになるので、係合孔１０から短パイプ１が外れやすくなってしまう。
【０００９】
このように、バンド駒からピン保持部材が外れやすいと、バンド駒の取り外し・取り付け作業（アジャスト作業）が行いづらくなる。
そこで、本発明は、バンド駒どうしを連結する連結ピンをピン穴内で着脱自在に保持しつつ、アジャスト作業時にもバンド駒から容易に外れることなく、作業性のよいピン保持部材の提供を目的とする。
【００１０】
【課題を解決するための手段】
上記目的を達成するために、第一の発明は、バンド駒に形成されたピン穴へ挿通することでバンド駒どうしを回動自在に連結させる連結ピンを、ピン穴内へ着脱自在に保持するためのアジャスト用ピン保持部材であって、そのピン保持部材は、少なくとも連結させる一方のバンド駒のピン穴内に組み込まれて、ピン穴の内面へ応力を与え、ピン穴からのピン保持部材の脱落を防止する脱落防止部と、連結ピンの外周長手方向にあって連結ピンに応力を与え、連結ピンを握持するピン握持部とを備えることを特徴とする。
【００１１】
第二の発明は、連結ピンの貫通するパイプ状の脱落防止部と同状のピン握持部とを直列させ、脱落防止部のパイプ外径＞ピン握持部のパイプ外径、の段パイプであることを特徴とする。また、第三の発明は、連結ピンの貫通するＣリング状の脱落防止部と同状のピン握持部とを直列させ、脱落防止部のリング外径＞ピン握持部のリング外径、の段リングであることを特徴とする。
【００１２】
第四の発明は、ピン穴の内面との又は／及び連結ピンとの接触部位を凹凸状としたことを特徴とする。また、第五の発明は、第一から第四の発明であるアジャスト用ピン保持部材を備えた時計バンドであることを特徴とする。
【００１３】
【発明の実施の形態】
本発明の実施の形態を図面に基づいて説明する。
図１は、第一の実施形態に係るアジャスト用ピン保持部材３０を示す斜視図である。アジャスト用ピン保持部材３０は、連結ピンの貫通する貫通穴３２（図示省略）を有するパイプ状の脱落防止部３１と、同じく連結ピンの貫通する貫通穴３７を有するパイプ状のピン握持部３６とを直列させた段パイプである。
【００１４】
このアジャスト用ピン保持部材３０の使用方法及び寸法等を、図２の説明図で説明する。
まず、アジャスト用ピン保持部材３０の使用方法について説明する。アジャスト用ピン保持部材３０は、連結ピンによって連結されるバンド駒の少なくとも一方のバンド駒のピン穴内に組み込まれて使用される。本実施形態では、バンド駒６０の凸部６１と、これと嵌合する凹部６６の両端部６７，６７とにピン穴６２，６８，６８が形成され、このうち凸部６１のピン穴６２内にアジャスト用ピン保持部材３０を組み込むこととした（▲１▼）。
【００１５】
次に、隣り合うバンド駒６０の凹部６６と、アジャスト用ピン保持部材３０が組み込まれたピン穴６２を有する凸部６１とを嵌合させる（▲２▼）。そして、最後に横一列にそろったピン穴６８，６２，６８へ連結ピン９０を挿通させる（▲３▼）。このようにしてバンド駒６０どうしが連結されることになる。また、バンド駒６０の連結を解いて、バンド駒を取り外す場合には、ピン穴６８，６２，６８から連結ピン９０を抜き出すことで、バンド駒６０の連結が解かれ、バンド駒を取り外すことが可能となる。
【００１６】
次に、アジャスト用ピン保持部材３０の寸法について説明する。
ピン穴６２内は、内径の大きい大径部６３と、内径の小さい小径部６４とからなっている。ここで、大径部６３の内径をａ、小径部６４の内径をｂとする。また、凹部６６の両端部６７，６７のピン穴６８，６８の内径をｄとする。さらに、これらピン穴６２，６８，６８に挿通する連結ピン９０の直径をｃとする。
【００１７】
これに対して、大径部６３に対応するアジャスト用ピン保持部材３０の脱落防止部３１の外径をａ１、小径部６４に対応するアジャスト用ピン保持部材３０のピン握持部３６の外径をｂ１、内径（貫通穴３７の直径）をｃ１とする。
そして、アジャスト用ピン保持部材３０、バンド駒６０，連結ピン９０の各寸法が、ａ＜ａ１、ｂ＞ｂ１、ｃ＞ｃ１、ｃ＜ｄ、の関係を満たすようにする。
【００１８】
ａ＜ａ１とすることで、ピン穴６２に組み込まれたアジャスト用ピン保持部材３０の脱落防止部３１から大径部６３に応力がかかり、連結ピン９０の有無にかかわらずピン穴６２からアジャスト用ピン保持部材３０の脱落が防止される。
また、ｂ＞ｂ１とすることで、アジャスト用ピン保持部材３０のピン握持部３６は小径部６４に応力を与えることはない。しかし、ピン握持部３６の内径をｃ＞ｃ１とすることで、その貫通穴３７で連結ピン９０を握持し、ピン穴６２に挿通された連結ピン９０を保持することになる。
【００１９】
このような寸法とすることで、アジャスト用ピン保持部材３０はバンド駒６０のピン穴６２に組み込まれると、ピン握持部３６で連結ピン９０を握持しつつ、脱落防止部３１でピン穴６２の大径部６３に応力を与える。従って、アジャスト作業時においてもピン穴６２からアジャスト用ピン保持部材３０の脱落を防止でき、アジャスト作業を良好なものとする。
なお、アジャスト用ピン保持部材３０の材質としては、ポリアセタール（ＰＯＭ）やナイロン（ＰＡ）等の樹脂製のものが適切であるが、これに限られるものではない。
【００２０】
図３及び図４は、第二の実施形態に係るアジャスト用ピン保持部材４０を示す展開図及び斜視図である。
第二の実施形態は、図３に示すような、上下に相対する切れ込み４９，４９を有する金属板４８をＣ字形に湾曲させて、図４に示すような大小のＣリングが直列する段リングを形成したものである。この段リングがアジャスト用ピン保持部材４０であり、４０径の大きい大リングが脱落防止部４１となり、径の小さい小リングがピン握持部４６となる。なお、アジャスト用ピン保持部材４０の製造方法はこれに限られるものではない。
【００２１】
アジャスト用ピン保持部材４０の使用方法は第一の実施形態に係るアジャスト用ピン保持部材３０と同じである。
また、アジャスト用ピン保持部材４０の寸法は、脱落防止部４１の外径をａ２、ピン握持部４６の外径をｂ２，その内径をｃ２とした場合に、第一の実施形態に係るアジャスト用ピン保持部材３０と同様、ａ＜ａ２、ｂ＞ｂ２、ｃ＞ｃ２、ｃ＜ｄ、の関係を満たすようにする。
【００２２】
アジャスト用ピン保持部材４０もバンド駒６０のピン穴６２に組み込まれると、ピン握持部４６で連結ピン９０を握持しつつ、脱落防止部４１でピン穴６２の大径部６３に応力を与える。従って、アジャスト作業時においてもピン穴６２からアジャスト用ピン保持部材４０の脱落を防止でき、アジャスト作業を良好なものとする。
なお、アジャスト用ピン保持部材４０の材質としては、ステンレス（ＳＵＳ）等の金属製のものが適切であるが、これに限られるものではない。
【００２３】
図５は、第三の実施形態を示す斜視図である。第三の実施形態では、ピン穴内面との接触部位や連結ピンとの接触部位を凹凸状としたものである。
図５（Ｉ）は、パイプ５０の内面および外面の長手方向に凹凸部５１，５２を形成している。
図５（ＩＩ）は、パイプ５６の内面の長手方向に凹凸部５７を形成し、外面の周方向に凹凸部５８を形成している。
【００２４】
ここで、外面の凹凸部の最大外径をａ３、内面の凹凸部の最小内径をｃ３とした場合に、ａ＝ｂ＜ａ３、ｃ＞ｃ３、ｃ＜ｄ、の関係を満たすようにする。こうすることで段のない平パイプの場合、外面に形成された凹凸部５２，５８が脱落防止部となり、内面に形成された凹凸部５１，５７がピン握持部となる。
【００２５】
また、第一の実施形態に係る段パイプ形状のアジャスト用ピン保持部材３０や第二の実施形態に係る段リング形状のアジャスト用ピン保持部材４０の脱落防止部やピン保持部に凹凸部を形成してもよい。凹凸の形状によって、応力を調整できるからである。
【００２６】
【発明の効果】
本発明によれば、アジャスト用ピン保持部材はバンド駒のピン穴に組み込まれると、ピン握持部で連結ピンを握持しつつ、脱落防止部でピン穴内面に応力を与える。従って、アジャスト作業時においてもピン穴からアジャスト用ピン保持部材の脱落を防止でき、アジャスト作業を良好なものとすることができる。また、そのようなアジャスト用ピン保持部材は、樹脂製、金属製など様々な材質で製造することが可能である。
【図面の簡単な説明】
【図１】第一の実施形態に係るアジャスト用ピン保持部材を示す斜視図。
【図２】アジャスト用ピン保持部材の使用方法及び寸法等を示す説明図。
【図３】第二の実施形態に係るアジャスト用ピン保持部材を示す展開図。
【図４】第二の実施形態に係るアジャスト用ピン保持部材を示す斜視図。
【図５】第三の実施形態を示す斜視図。
【図６】従来技術を示す説明図。
【図７】他の従来技術を示す説明図。
【符号の説明】
３０  アジャスト用ピン保持部材
３１  脱落防止部
３２  貫通穴
３６  ピン握持部
３７  貫通穴
【図１】
2004236992.tif 000003
【図２】
2004236992.tif 000004
【図３】
2004236992.tif 000005
【図４】
2004236992.tif 000006
【図５】
2004236992.tif 000007
【図６】
2004236992.tif 000008
【図７】
2004236992.tif 000009